Podtech/llm-jp-corpus-v4-ja_patent huggingface dataset:
(57)【要約】【課題】      料理の種類によって、材料が引っ付いたりして、必要以上の油を使った。焼肉料理などの時は肉汁の処理がしにくく、見た目、風味も良くなかった。【解決手段】  ホットプレート、フライパンの底に、料理に合わせた引っ付き防止加工のプレートを敷くことにより、料理の材料がこびりつくのを防ぎ、焼き物、炒め物料理が調理しやすく上手にできる。また、プレートを凹凸の形にすることにより、焼肉の肉汁の処理がうまくいき上手に焼ける。また、焦がした時も、直接調理器具に接していないことにより、調理器具自体には焦げ付きがないので、簡単に処理できる。1枚のプレートに切目をいれることにより、取り外しができいろいろなサイズの調理器具に使用できる。プレートの形状は、正方形、長方形でもよく、その調理器具の底に合った形で丸 型に限定しなくてもよい。【選択図】      図１
0003104886.tif 000002
【実用新案登録請求の範囲】
【請求項１】
プレートの表面に、食材が引っ付かないように加工した、平面、または、凹凸の形状に作ったプレートを、ホットプレートの底、あるいは、フライパンの底に、ぴったりと付くように上に置く引っ付き防止プレート
【請求項２】
いろいろなサイズの調理器具を、１枚のプレートで利用可能にするために、切り外しできるようになった引っ付き防止プレート
【考案の詳細な説明】
【技術分野】
【０００１】
本考案は、ホットプレート、フライパン、鍋の、調理方法に関係なく使用できる引っ付き防止プレートである。
【背景技術】
【０００２】
引っ付き防止加工の表面がはがれたフライパン、ホットプレートを使用して調理をした時、 材料が調理器具に引っ付いたりして、調理がやりにくいために、油を必要以上に使い、見栄え、風味が悪く仕上がった。また、調理器具の後始末にも時間がかかった。
【考案の開示】
【考案が解決しようとする課題】
【０００３】
チャーハン、焼きソバなどの炒めもの料理の時、材料がフライパンにこびりつき団子状態になった。
【０００４】
お好み焼き、ホットケーキ、餃子などの料理をする時、こびりついて、ひっくり返しにくく、餃子の皮が破れたり、形がくずれてやりずらい。
【０００５】
焼肉の調理の時、肉汁がでて水っぽく焼けて風味が悪くなる。
【課題を解決するための手段】
【０００６】
上記目的を達成するために、本考案のプレートは、表面に食材が引っ付かないような加工になっている。
【０００７】
用途に応じて、平板、凹凸形のプレートをフライパン、ホットプレートの底に置いて、着脱自在に使用する。
【０００８】
大小さまざまなサイズの調理器具のため、プレートに切れ目をいれて自在に取り外せるようにする。図６のように一部分だけに置いて使用することもできる。
【０００９】
プレートの形は丸型、長方形、正方形などの調理器具の底面に合わせて使い分ける。
【考案の効果】
【００１０】
このような構成のプレートを、引っ付きやすかったフライパン、表面の加工がはがれたフライパンの底 に置くことによって、料理の材料が引っ付かなくてスムーズに料理ができ、風味、形がよくできる。
【００１１】
調理内容、調理器具によって、プレートのサイズ、形状を使い分けて使用する。焼肉料理の時、凹凸のプレートを使うことで、肉汁の処理がスムーズになり、風味よく仕上がる。
【考案を実施するための最良の形態】
【００１２】
本考案の実施の形態を図面により説明する。図１は平板プレートの平面図で、図３は凹凸板のプレートの平面図で、共に表面に食材が引っ付かないように加工されている。
【００１３】
プレートはフライパン底、ホットプレート底に合わせて使用できるように、図１（２）の切目が有る所で切り離せるようになっている。プレートを形成する平板、凹凸板は、長方形、正方形、丸型でもよく、調理器具の底の形に合わせて作られている。
【００１４】
焼肉などの料理をする時は、図３、図６の凹凸形のプレートを使用する。
【図面の簡単な説明】
【００１５】
【図１】本考案の実施形態を示す丸型の平面図
【図２】フライパンの底に敷いたプレートの側面図
【図３】本考案の実施形態を示す丸型で表面に凹凸のある平面図
【図４】フライパンの底に敷いた凹凸のあるプレートの側面図
【図５】本考案の実施形態を示す長方形の平面図
【図６】ホットプレートの底に敷いた凹凸のあるプレートの側面図
【符号の説明】
【００１６】
１      平板の丸型プレート
２Ａ    平板の丸型プレートの切り離す所
２Ｂ    平板の長方形のプレートの切り離す所
３Ａ    食材が引っ付かないように加工した面
３Ｂ    食材が引っ付かないように加工した面
４      フライパン
５      凹凸形状の丸型プレート
６Ａ    丸型プレートの凹面
６Ｂ    長方形プレートの凹面
７Ａ    丸型プレートの凸面
７Ｂ    長方形プレートの凸面
８      平板の長方形プレート
９      ホットプレート
【図１】
0003104886.tif 000003
【図２】
0003104886.tif 000004
【図３】
0003104886.tif 000005
【図４】
0003104886.tif 000006
【図５】
0003104886.tif 000007
【図６】
0003104886.tif 000008
【手続補正書】
【提出日】平成16年6月1日(2004.6.1)
【手続補正１】
【補正対象書類名】実用新案登録請求の範囲
【補正対象項目名】全文
【補正方法】変更
【補正の内容】
【実用新案登録請求の範囲】
【請求項１】
プレートの表面に、食材が引っ付かないように加工した、平面、または、凹凸の形状に作ったプレートを、ホットプレートの底、あるいは、フライパンの底に、ぴったりと付くように上に置いて、焼いたり、炒めたりすることを特徴とする引っ付き防止プレート
【請求項２】
いろいろなサイズの調理器具を、一枚のプレートで利用可能にするために、プレートの面に、各サイズのところに切れ目を入れ、手で押すと切り外せるようにすることを特徴とする請求項１記載の引っ付き防止プレート
(57)【要約】【課題】  箱の蓋の裏面の空白を有効活用して宣伝などを行なえるようにする。【解決手段】  箱本体１の外蓋２と内蓋３の裏面に、他商品の宣伝用の広告４ａ・４ｂを印刷又は貼り付けにて設けたものである。【選択図】        図１
0003104885.tif 000002
【実用新案登録請求の範囲】
【請求項１】
箱の蓋の裏面に、他商品の宣伝用の広告を印刷又は貼り付けにて設けたことを特徴とする収納箱。
【考案の詳細な説明】
【技術分野】
【０００１】  本考案は、商品を収納する箱の蓋裏に各種の宣伝を広告として設けるようにした収納箱に関するものである。
【背景技術】
【０００２】  商品を収納する箱としては、収納する商品の内容が分からない方が良い場合には箱全体が無印か或は色々な模様などの図柄を印刷しているが、収納する商品の内容が分かっても良い寧ろ分かるよう一般的に箱の見える表面に収納した商品の品名やサイズ或は品質などを記載していた。
又、商品が組立を必要とする場合には、その組み立て方や収納の手順が蓋裏の一部に記載されている。
【考案の開示】
【考案が解決しようとする課題】
【０００３】  このように商品が組立を必要とする場合には、その組み立て方や収納の手順が蓋裏の一部に記載されているが、その殆どが未使用の空白状態で有効利用の観点から見れば不経済であり箱の使用上非常に不都合を感じていた。
【課題を解決するための手段】
【０００４】  本考案はこのような不都合を解消し、箱の蓋の裏面に広告欄を設けて有効活用を促進化するようにした収納箱を提供せんとするものである。
箱の蓋の裏面に、他商品の宣伝用の広告を印刷又は貼り付けにて設けたものである。
このように広告を設けるようにしたことによって、箱の蓋裏面のスペースを他商品の宣伝に有効利用することが出来る。
【考案の効果】
【０００５】  上述の如く本考案は、箱の蓋の裏面に広告を設けるようにしたことによって、収納する商品に関連する商品や全く異なる他の商品の宣伝が、蓋の裏面のスペースを有効に利用して行なうことが出来る等多くの特長があり、実用上非常に優れた考案である。
【考案を実施するための最良の形態】
【０００６】  箱の蓋の裏面に、他商品の宣伝用の広告を印刷又は貼り付けにて設けたものである。
【実施例】
【０００７】  以下本考案の一実施例を図面について説明する。
図中１は上部を開口した箱本体であって、開口部の対向する一方の一対に外蓋２を、対向する他方の一対に内蓋３を開閉可能に設け、外蓋２及び内蓋３の裏面に他の商品の宣伝用の広告４ａ・４ｂを印刷にて設けている。【０００８】  使用に当っては、従来と同じように箱本体１内に商品を収納し、内蓋３を蓋しその上に外蓋２を蓋し、テープで外蓋２の継目に貼り付けて収納し出荷する。
荷受けして外蓋２と内蓋３を開けて収納する商品を取り出す時、取り出す商品と同時に外蓋２と内蓋３の裏面に目が行き、外蓋２と内蓋３に印刷している他商品の広告４ａ・４ｂを見てしまうため宣伝が自然体で出来る。
【産業上の利用可能性】
【０００９】  各種の収納箱。
【図面の簡単な説明】
【００１０】
【図１】実施例の開口状態の斜視図
【符号の説明】
【００１２】  １    箱本体
２    外蓋
３    内蓋
４ａ  広告
４ｂ  広告
【図１】
0003104885.tif 000003
【手続補正書】
【提出日】平成16年5月14日(2004.5.14)
【手続補正１】
【補正対象書類名】実用新案登録請求の範囲
【補正対象項目名】全文
【補正方法】変更
【補正の内容】
【実用新案登録請求の範囲】
【請求項１】
箱の蓋の裏面に、他商品の宣伝用の広告を印刷した広告紙を設けたことを特徴とする収納箱。
【手続補正２】
【補正対象書類名】明細書
【補正対象項目名】全文
【補正方法】変更
【補正の内容】
【考案の詳細な説明】
【技術分野】
【０００１】  本考案は、商品を収納する箱の蓋裏に各種の宣伝を印刷した広告紙を設けるようにした収納箱に関するものである。
【背景技術】
【０００２】  商品を収納する箱としては、収納する商品の内容が分からない方が良い場合には箱全体が無印か或は色々な模様などの図柄を印刷しているが、収納する商品の内容が分かっても良い寧ろ分かるよう一般的に箱の見える表面に収納した商品の品名やサイズ或は品質などを記載していた。
又、商品が組立を必要とする場合には、その組み立て方や収納の手順が蓋裏の一部に記載されている。
【考案の開示】
【考案が解決しようとする課題】
【０００３】  このように商品が組立を必要とする場合には、その組み立て方や収納の手順が蓋裏の一部に記載されているが、その殆どが未使用の空白状態で有効利用の観点から見れば不経済であり箱の使用上非常に不都合を感じていた。
【課題を解決するための手段】
【０００４】  本考案はこのような不都合を解消し、箱の蓋裏面の空白部分に広告紙を設けて有効活用を促進化するようにした収納箱を提供せんとするものである。
箱の蓋の裏面に、他商品の宣伝用の広告を印刷した広告紙を設けたものである。
このように広告紙を設けるようにしたことによって、箱の蓋裏面空白部分を他商品の宣伝に有効利用することが出来る。
【考案の効果】
【０００５】  上述の如く本考案は、箱の蓋の裏面に広告紙を設けるようにしたことによって、収納する商品に関連する商品や全く異なる他の商品の宣伝が、蓋の裏面空白部分を有効に利用して行なうことが出来る等多くの特長があり、実用上非常に優れた考案である。
【考案を実施するための最良の形態】
【０００６】  箱の蓋の裏面の空白部分全面或いは一部分に、他商品の宣伝用の広告を印刷した広告紙を設けたものである。
【実施例】
【０００７】  以下本考案の一実施例を図面について説明する。
図中１は上部を開口した箱本体であって、開口部の対向する一方の一対に外蓋２を、対向する他方の一対に内蓋３を開閉可能に設け、外蓋２及び内蓋３の裏面の空白部分全面に他の商品の宣伝用の広告を印刷した広告紙４ａ・４ｂを貼り付けにて設けている。【０００８】  使用に当っては、従来と同じように箱本体１内に商品を収納し、内蓋３を蓋しその上に外蓋２を蓋し、テープで外蓋２の継目に貼り付けて収納し出荷する。
荷受けして外蓋２と内蓋３を開けて収納する商品を取り出す時、取り出す商品と同時に外蓋２と内蓋３の裏面に目が行き、外蓋２と内蓋３に貼り付けている他商品の広告紙４ａ・４ｂを見てしまうため宣伝が自然体で出来る。
【産業上の利用可能性】
【０００９】  各種の収納箱。
【図面の簡単な説明】
【００１０】
【図１】実施例の開口状態の斜視図
【符号の説明】
【００１２】１    箱本体
２    外蓋
３    内蓋
４ａ  広告紙
４ｂ  広告紙
【手続補正３】
【補正対象書類名】図面
【補正対象項目名】全図
【補正方法】変更
【補正の内容】
【図１】
0003104885.tif 000004
(57)【要約】【課題】  自動車運転時、サイドミラ−及び目視では死角となっていた斜め後方を、容易に確認出来る様にする。【解決手段】  自動車内のダッシュボ−ド２に自動車用サイドミラ−構造の曲面鏡３を取付ける。曲面鏡３から、斜め後方が、容易に確認出来る。【選択図】  図１
0003104890.tif 000002
【実用新案登録請求の範囲】
【請求項１】
自動車の斜め後方確認の為に、ダッシュボ−ド２に取付けられる曲面鏡３は、自動車用サイドミラ−構造。
【考案の詳細な説明】
【技術分野】
【０００１】本考案は、ダッシュボ−ド上の左右両サイドに自動車用サイドミラ−構造の曲面鏡を取付け、自動車の斜め後方を、より充分に確認出来る様にしたものである。
【背景技術】
【０００２】従来、自動車の斜め後方は、サイドミラ−及び目視で確認していた。
【考案の開示】
【考案が解決しようとする課題】
【０００３】従来、自動車運転中の車線変更は、サイドミラ−及び目視で安全確認してから行っていたが、サイドミラ−からの視界は限られている。目視では、座席又は同乗者に隠れて、斜め後方は充分な確認が出来ない。よって、車線変更の際に非常に危険であった。
【課題を解決するための手段】
【０００４】上記目的を達成するために、自動車内のダッシュボ−ド２に自動車用サイドミラ−構造の曲面鏡３を取付ける。
【考案の効果】
【０００５】従来、死角となっていた自動車の斜め後方を、容易に確認する事が出来る。また、車線変更時の危険性が減り、交通事故の防止につながる。
【図面の簡単な説明】
【０００６】
【図１】    運転席から見た、自動車内の斜視図である。
【図２】    曲面鏡３の正面図である。
【図３】    曲面鏡３の断面図である。
【符号の説明】
【０００７】  １  サイドミラ−
２  ダッシュボ−ド
３  曲面鏡
【図１】
0003104890.tif 000003
【図２】
0003104890.tif 000004
【図３】
0003104890.tif 000005
【手続補正書】
【提出日】平成16年6月8日(2004.6.8)
【手続補正１】
【補正対象書類名】実用新案登録請求の範囲
【補正対象項目名】全文
【補正方法】変更
【補正の内容】
【実用新案登録請求の範囲】
【請求項１】
自動車の斜め後方を確認する為の曲面鏡３をダッシュボ−ド２に取り付けた自動車用サイドミラ−構造。
(57)【要約】【課題】外側の連通管をガラス製にしたため破損しやすく、破損した場合ペール缶の内容物がペール缶の小出し口の液位まで流出する恐れがある。次に２点目は小出しバルブを開き内容物を取り出すときに、気密性の高い構造になっているためペール缶内部に負圧が発生し、流出速度が遅い。２点の欠点を解決しようとするものである。【解決手段】本考案は、ゲージ本体と小出しバルブとに分離して、ゲージをペール缶のフタに取付けフロートの上下運動を回転軸の回転運動に変える仕組みによって内容物の液位を表示することにより破損の恐れを減らし、また内容物がスムーズに流れ出るように本体の側面に空気穴を設けることにより問題点を解決している。【選択図】  図１
0003104889.tif 000002
【実用新案登録請求の範囲】
【請求項１】
ペール缶のふたにあらかじめ加工した取付穴にワンタッチで取り付け、フロートの上下運動を回転軸の回転運動に変える仕組みによって鋼鉄製のペール缶の内容物の液位を表示する。
また本体の側面に空気穴を設けることにより、容器内部に負圧の発生するのを防ぎ内容物が下部に設けた小出しバルブよりスムーズに流れ出るようにしたことを特徴とする液量レベルゲージ。
【考案の詳細な説明】
【技術分野】
【０００１】本考案は、フロートの上下運動を回転軸の回転運動に変える仕組みによって内容物の液位を表示する。また内容物がスムーズに流れ出るように本体の側面に空気穴を設けた液量レベルゲージに関するものである。
【背景技術】
【０００２】従来はペール缶の小出しバルブにガラスパイプを取り付け、ペール缶内部と底部で通じた連通管として、外側に液位変化を表示していた。
【考案の開示】
【考案が解決しようとする課題】
【０００３】外側の連通管をガラス製にしたため破損しやすく、破損した場合ペール缶の内容物がペール缶の小出し口の液位まで流出する恐れがある。また、小出しバルブを開き内容物を取り出すときに、気密性の高い構造になっているためペール缶内部に負圧が発生し、流出速度が遅い。
これらの欠点を解決しようとするものである。
【課題を解決するための手段】
【０００４】本考案は、ゲージ本体と小出しバルブとに分離して、ゲージをペール缶のフタに取付けフロートの上下運動を回転軸の回転運動に変える仕組みによって内容物の液位を表示することにより破損の恐れを減らし、また内容物がスムーズに流れ出るように本体の側面に空気穴を設けることにより問題点を解決している。
【考案の効果】
【０００５】本考案のペール缶用液量レベルゲージは取付けも簡単になり、ゲージの文字盤表示で補充の時期が明確に表示できる。
また取出しが短時間にでき作業の効率化がはかれる。
【考案を実施するための最良の形態】
【０００６】ペール缶のふたにあらかじめ加工した取付穴にワンタッチで取り付け、フロートの上下運動を回転軸の回転運動に変える仕組みによって鋼鉄製のペール缶の内容物の液位を表示する。文字盤には「満」、「補充」を印刷し補充時期を明確に表示する。
また本体の側面に空気穴を設けることにより、容器内部に負圧の発生するのを防ぎ内容物が下部に設けた小出しバルブよりスムーズに流れ出るようにした。
【実施例】
【０００７】以下、添付図面に従って実施例を説明する。ペール缶１１のフタ１０に開けられている取り付け穴にペール缶用液量レベルゲージを挿入する。取り付け穴の凹部と固定金具４の凸部をあわせて固定金具４をフタ１０の下に押し込み時計回りに回転させることにより固定する。
フロート８が液面の降下にしたがって動く縦の運動を回転軸６のねじれに従い回転運動に変えることにより指針５が「満」から「補充」「０」に移動する。
「補充」なったときに、内容液を補充する時期を知ることができる。
また小出しノズル１２より内容液を取り出すときに空気穴２が開いているためペール缶１１の中に負圧が発生せずスムーズに流れる。
【図面の簡単な説明】
【０００８】
【図１】本考案のペール缶用液量レベルゲージの立面図である。
【図２】本体ゲージ文字盤の平面図である。
【図３】固定金具部品の平面図である。
【図４】実施例を表す全体図である。
【符号の説明】
【０００９】  １  ゲージ本体
２  空気穴
３  ゴムパッキン
４  固定金具
５  指針
６  回転軸
７  支柱
８  フロート
９  かしめ金具
１０  フタ
１１  ペール缶
１２  小出しノズル
【図１】
0003104889.tif 000003
【図２】
0003104889.tif 000004
【図３】
0003104889.tif 000005
【図４】
0003104889.tif 000006
【手続補正書】
【提出日】平成16年6月4日(2004.6.4)
【手続補正１】
【補正対象書類名】実用新案登録請求の範囲
【補正対象項目名】全文
【補正方法】変更
【補正の内容】
【実用新案登録請求の範囲】
【請求項１】
フロートの中心部に、ひねりを加えた板状の回転軸の断面形状と同等の角穴をあけて、その回転軸を貫通させたフロートがペール缶内容物の液面の降下にしたがって上下に動くことによって回転軸が回転し、回転軸上の指針を変動させ液位を表示するとともに、本体側面に空気穴を設けることによりペール缶内部に負圧の発生するのを防ぎ、ペール缶内容物がペール缶小出しバルブよりスムーズに流れ出るようしたところを特徴とするペール缶用液量レベルゲージ。
【手続補正２】
【補正対象書類名】明細書
【補正対象項目名】０００４
【補正方法】変更
【補正の内容】
【０００４】本考案は、ゲージ本体と小出しバルブとに分離して、ゲージをペール缶のフタに取付けフロートの中心部に、ひねりを加えた板状の回転軸の断面形状と同等の角穴をあけて、  その回転軸を貫通させたフロートがペール缶内容物の液面の降下にしたがって上下に動くことによって回転軸が回転し、回転軸上の指針を変動させ液位を表示することにより破損の恐れを減らし、またペール缶内部に負圧の発生するのを防ぎペール缶内容物がペール缶小出しバルブよりスムーズに流れ出るように本体側面に空気穴を設けることにより問題点を解決している。
【手続補正３】
【補正対象書類名】明細書
【補正対象項目名】０００７
【補正方法】変更
【補正の内容】
【０００７】以下、添付図面に従って実施例を説明する。ペール缶１１のフタ１０に開けられている取り付け穴にペール缶用液量レベルゲージを挿入する。取り付け穴の凹部と固定金具４の凸部をあわせて固定金具４をフタ１０の下に押し込み時計回りに回転させることにより固定する。フロート８が液面の降下にしたがって動く縦の運動を回転軸６のねじれに従い回転運動に変えることにより指針５が「満」から「補充」「０」に移動する。「補充」なったときに、内容液を補充する時期を知ることができる。また小出しバルブ１２より内容液を取り出すときに空気穴２が開いているためペール缶１１の中に負圧が発生せずスムーズに流れる。
【手続補正４】
【補正対象書類名】明細書
【補正対象項目名】０００９
【補正方法】変更
【補正の内容】
【０００９】１  ゲージ本体２  空気穴３  ゴムパッキン４  固定金具５  指針６  回転軸７  支柱８  フロート９  かしめ金具１０フタ１１ペール缶１２小出しバルブ
(57)【要約】      （修正有）【課題】医療、福祉、芸能等の分野で、手指の機能訓練やリハビリ、音楽療法、老化防止対策など多目的に使用することができる打楽器を提供する。【解決手段】永久磁石を埋め込んだブロック片の吸着と反発によって生じる衝突音を指先でコントロールする構成の打楽器で、音の高低、大小、音色、持続時間などは自由に変えられる。【選択図】図１
0003104887.tif 000002
【実用新案登録請求の範囲】
【請求項１】
永久磁石を取り付けたブロック片から発する衝突音を利用する打楽器
【考案の詳細な説明】
【考案の詳細な説明】
【産業上の利用分野】
本考案は医療、福祉、芸能等の分野で多目的に利用される。
【背景技術】  従来の打楽器では、その発音部に永久磁石の吸着力を用いたものは見受けない。
【考案が解決しようとする課題】
手指のリハビリまたは心身症などの音楽療法にリズム打楽器を用いる場合がある。その際に操作は簡単で、出来るだけ単調さを避けた新しい楽器が求められる。上記の要求課題を解決するのが目的である。
【課題を解決するための手段】
類似の打楽器としてはカスタネットがあげられる。本考案は永久磁石を埋め込んだ複数のブロック片からなり、磁石の吸着力と衝突したときの反発力によって生じる振動現象を制御して利用する。
【作用】
永久磁石を埋め込まれたブロック片は相互に吸着されて衝突するが、そのあと反発と吸着を繰り返すために発生する衝突音は過渡現象が終わるまで持続ずる。
【考案の効果】
木片等の硬さと重量、磁力の強さ、振動する木片等に加えられる接触抵抗その他によって衝突音の高低、大小、音色、持続時間などは変調できる。そのことは打楽器としての面白さであり、習熟するには訓練を必要とすることを意味する。その習熟訓練は手指の機能訓練や病後のリハビリにも役立ち、指先の細かい運動が脳刺激となって老化防止効果をもたらすことにもなる。
【図面の簡単な説明】  正１２面体の木片を用いた本考案の一例を示す。図１は永久磁石Ｎ，Ｓを埋め込んだ２個のブロックＡおよびＢが吸着した状態を表し、図２は上記２個を引き離した状態を表す。ＡとＢの２個をまとめて握り、指を動かして図２の状態にしたあとで急に力を緩めると、ＡとＢは衝突と反発を繰り返して音を発するようになる。
【符号の説明】
ＡとＢはいずれもブロック      ＮとＳはそれぞれに嵌入された永久磁石
【図１】
0003104887.tif 000003
【図２】
0003104887.tif 000004
【手続補正書】
【提出日】平成16年6月22日(2004.6.22)
【手続補正１】
【補正対象書類名】明細書
【補正対象項目名】全文
【補正方法】変更
【補正の内容】
【考案の詳細な説明】
【産業上の利用分野】
本考案は医療、福祉、芸能等の分野で多目的に利用される。
【背景技術】  従来の打楽器では、その発音部に永久磁石の吸着力を用いたものは見受けない。
【考案が解決しようとする課題】
手指のリハビリまたは心身症などの音楽療法にリズム打楽器を用いる場合がある。その際に操作は簡単で、出来るだけ単調さを避けた新しい楽器が求められる。上記の要求課題を解決するのが目的である。
【課題を解決するための手段】
類似の打楽器としてはカスタネットがあげられる。本考案は永久磁石を埋め込んだ複数のブロック片からなり、磁石の吸着力と衝突したときの反発力によって生じる振動現象を制御して利用する。
【作用】
永久磁石を埋め込まれたブロック片は相互に吸着されて衝突するが、そのあと反発と吸着を繰り返すために発生する衝突音は過渡現象が終わるまで持続ずる。
【考案の効果】
木片等の硬さと重量、磁力の強さ、振動する木片等に加えられる接触抵抗その他によって衝突音の高低、大小、音色、持続時間などは変調できる。そのことは打楽器としての面白さであり、習熟するには訓練を必要とすることを意味する。その習熟訓練は手指の機能訓練や病後のリハビリにも役立ち、指先の細かい運動が脳刺激となって老化防止効果をもたらすことにもなる。
【図面の簡単な説明】
【図１】  正１２面体のブロック片ＡおよびＢが、それぞれに埋め込んだ永久磁石ＮとＳによって吸着され衝突した瞬間の状態を示す。
【図２】  手のひらの中で揉まれ相互位置をずらされた２個の正１２面体の位置を示す。
【符号の説明】
ＡとＢはいずれも正１２面体ブロック
ＮとＳはそれぞれに嵌入された永久磁石
(57)【要約】【課題】  手術特に麻酔を伴う手術において、患者に関する必須のデータを患者本人の肌又は患者の手術衣に付着させることで、手術に関与するすべての人員がこのデータを手術前に確認して手術が手抜かりなく行えるようにした患者データシールの提案に係る。【解決手段】  表面に手術を要する患者に関する必須の表示３を記入した、紙、ポリエステルフィルム、レーヨン不織布などの、記入が手書きで容易にできる材質からなる基材１の裏面に、患者本人の肌又は手術衣に付着させるための粘着層５を形成するとともに、前記表示３が、患者名、年齢、性別、血液型、疾患名、疾患部位、術式、担当医、備考を含み、前記基材１の裏面４の粘着層５が、アクリル系、ポリエチレンフィルム、アクリルフィルムなどの人体に影響が及ばない材料からなる。【選択図】        図１
0003104840.tif 000002
【実用新案登録請求の範囲】
【請求項１】
表面に手術を要する患者に関する必須の表示を記入した基材の裏面に、患者の肌又は患者の手術衣に付着させる粘着層を形成してなる、患者データシール。
【請求項２】
前記表示が、患者名、年齢、性別、血液型、疾患名、疾患部位、術式、担当医、備考を含むことを特徴とする請求項１に記載の患者データシール。
【請求項３】
前記表示に、アレルギー、既住症、感染症、その他を記入することを特徴とする、請求項２に記載の患者データシール。
【請求項４】
前記基材が、紙、ポリエステルフィルム、レーヨン不織布などの、記入が手書きで容易にできる材質からなる、請求項１に記載の患者データシール。
【請求項５】
前記粘着層が、アクリル系、ゴム系の粘着材などの人体に影響が及ばない材質からなる、請求項１に記載の患者データシール。
【考案の詳細な説明】
【技術分野】
【０００１】
本考案は、手術特に麻酔を伴う手術において、患者に関する必須のデータを患者本人の肌又は患者の手術衣に付着させることにより、手術に関与するすべての人員がこのデータを手術前に確認できるようにして、手術が手抜かりなく行えるようにした患者データシールの提案に係る。
【背景技術】
【０００２】
手術は、担当医、麻酔科担当医、看護師など数多くのスタッフを要して行われるため、往々にして患者の取り違えや、手術部位の間違いが起きることがあり、特に近年はこのような事例が数多く指摘されている。
【特許文献１】特開平１１−３４４９４６
【考案の開示】
【考案が解決しようとする課題】
【０００３】
手術の際の、患者の取り違いや、手術部位の間違いは、特に患者によって本人確認ができない状態にあることが最大の問題である。そこで本考案においては、手術に先だって患者のデータを担当医が記載し、現場のすべてのスタッフに周知させて、医療ミスが生じないようにすることを解決すべき課題とするものである。
【課題を解決するための手段】
【０００４】
ここにおいてこの考案の請求項１に記載の患者データシールでは、表面に手術を要する患者に関する必須の表示を記入した基材の裏面に、患者の肌又は患者の手術衣に付着させる粘着層を形成してなる。
【０００５】
この考案の請求項２は、請求項１に記載の患者データシールにおいて、前記表示が、患者名、年齢、性別、血液型、疾患名、疾患部位、術式、担当医、備考を含む。
【０００６】
この考案の請求項３は、請求項２に記載の患者データシールにおいて、前記表示に、アレルギー、既住症、感染症、その他を付加してなる。
【０００７】
この考案の請求項４は、請求項１に記載の患者データシールにおいて、前記基材が、紙、ポリエステルフィルム、レーヨン不織布などの、記入が手書きで容易にできる材質からなる。
【０００８】
この考案の請求項５は、請求項１に記載の患者データシールにおいて、前記粘着層が、アクリル系、ゴム系の粘着材などの人体に影響が及ばない材料からなる。
【考案の効果】
【０００９】
この考案によれば、特に麻酔を伴う手術の前に、患者本人の肌又は患者衣に直接貼付した患者データシールによって、患者に関するデータを、手術現場のすべての関係者が共通に確認でき、これによって医療ミスの防止に寄与するものである。
【考案を実施するための最良の形態】
【００１０】
図１と、この図１のII―IIに伴う断面図において、１は基材であって、この基材１は紙、ポリエステルフィルム、レーヨン不織布などの、記入が手書きで容易にできる材質からなり、この基材１の表面２には、適宜表示３を印刷等によって記載するものとし、その記載は手術をすることになっている患者にとって必須の記述を施すものである。その内容としては、患者名、年齢、性別、血液型という個人情報と、疾患名、疾患部位、術式、担当医という手術に関する情報とからなる。
【００１１】
前記表示３としては、更に、アレルギー、既住症、感染症、その他を付加することとし、これは所望に応じて任意採用することとする。
【００１２】
前記基材１の裏面４には、粘着層５を形成するものとし、この粘着層５の材料としては、アクリル系、ゴム系の粘着材などの人体に影響が及ばない材料を使用するものとする。
【００１３】
使用前には、この粘着層５に、剥離紙６を貼り付けておき、必要に応じてこの剥離紙６を剥し、前記粘着層５を介して、上記のように構成した患者データシール７を、患者本人の肌又は患者衣に貼り付けて所望の目的を達成させるものである。
【図面の簡単な説明】
【００１４】
【図１】この考案の患者データシールの正面図である。
【図２】図１のII−IIに沿う断面図である。
【符号の説明】
【００１５】
１      基材
２      表面
３      表示
４      裏面
５      粘着層
６      剥離紙
７      患者データシール
【図１】
0003104840.tif 000003
【図２】
0003104840.tif 000004
(57)【要約】【課題】多種類の液体原料を均一に混合する配合タンクにおいて、タンク上部からサンプリングするときの簡便な方法。【解決手段】開口部を有する合成樹脂製のキャップ付きサンプル瓶と、該合成樹脂製キャップを保持するステンレス製金具と、該ステンレス製金具と一体若しくは連結されたステンレス製柄からなることを特徴とする、液体サンプル用のサンプリング器具。サンプル瓶の胴部を交換することにより、必要量だけのサンプリングが繰り返し可能である。【選択図】図１
0003104831.tif 000002
【実用新案登録請求の範囲】
【請求項１】
開口部を有する合成樹脂製のキャップ付きサンプル瓶と、該合成樹脂製キャップを保持するステンレス製金具と、該ステンレス製金具と一体若しくは連結されたステンレス製柄からなることを特徴とする、液体サンプル用のサンプリング器具。
【考案の詳細な説明】
【技術分野】
【０００１】
本考案は、液体サンプル用のサンプリング器具に関するものである。
【背景技術】
【０００２】
調合香料の製造においては、一度に数十種類の原料が配合され、均一に混合されている。これらはバッチ毎の製造が多く、一定の品質を保つには高度な品質管理システムが必要とされる。調合香料の原料は極めて多くの素材からなっているため、製造においては原料名の確認や配合数量の確認などの他、一つ一つの原料素材の物性を念頭に置く必要がある。例えば、比重差の大きい原料同士を配合する場合、相溶性が低い場合など、配合タンク内で混合がうまくできず、不均一な状態である可能性がある。
【０００３】
品質の確認を行うには適時なサンプリングが不可欠であるが、従来のサンプル取り出し口は配合タンクの下部若しくは中位部に存在し、配合タンク上部からのサンプリングにおいては簡単な装置というものはなかった。サンプリング用の器具としては、例えば溶融金属用のサンプリング器具（特許文献１）などは提案されているが、通常の液体サンプル用の手頃な器具というものは提案されてはいなかった。
【特許文献１】実開平６−５１８６８号公報
【考案の開示】
【考案が解決しようとする課題】
【０００４】
解決しようとする問題点は、多種類の液体原料を均一に混合する配合タンクにおいて、タンク上部からサンプリングするときの簡便な方法が無いという点である。
【課題を解決するための手段】
【０００５】
かかる目的を達成するための考案は、開口部を有する合成樹脂製のキャップ付きサンプル瓶と、該合成樹脂製キャップを保持するステンレス製金具と、該ステンレス製金具と一体若しくは連結されたステンレス製柄からなることを特徴とする、液体サンプル用のサンプリング器具である。
【考案の効果】
【０００６】
本考案のサンプリング器具は、多種類の液体原料を均一に混合する配合タンクにおいて、タンクの下部や中位部からサンプリングする従来の方法に加え、タンク上部から簡便な方法でサンプリングすることにより、比重差の大きい原料同士を配合する場合においても均一に混合されていることが確認できる。
【考案を実施するための最良の形態】
【０００７】
以下、本考案の構成を図１及び２に示す実施の形態に即して説明する。図１は、本考案のサンプリング器具を示す斜視図である。サンプル瓶は胴部１とキャップ部２からなり、着脱可能である。キャップ部２は合成樹脂からなり、テフロン（イー  アイ  デュポン  ドゥ  ヌムール  アンド  カンパニー 社の登録商標）製であることが好ましい。キャップ部２は筒状で開口部を有し、ステンレス製金具３にて保持されている。この保持部も着脱可能であり、必要に応じて分解洗浄が容易にできる。ステンレス金具３の長さは任意であり、相当な長さを有する場合はそのままサンプリングに用いることもできるが、ステンレス製の柄４と連結して使用する場合が好ましいことが多い。サンプリングは、配合タンクの上部から本考案のサンプリング器具を差し入れ、サンプルを採取することにより行う。
【０００８】
図２は、本考案のサンプリング器具の、サンプル瓶とその保持部の断面図である。胴部１とキャップ部２はねじで連結される。サンプル瓶の口部は広い方が好ましく、キャップ部１の外径の１／３以上であることが好ましい。サンプリング後は、サンプルの入ったサンプル瓶（１＋２）をステンレス製金具３から取り外し保存することもできるが、短時間に多数のサンプリングを行うときは、サンプルの入った胴部１のみを取り外し、サンプル瓶の胴部を交換することにより、必要量だけのサンプリングが繰り返し可能である。
【産業上の利用可能性】
【０００９】
試験用に液体サンプルを採取する場合一般に使用可能である。
【図面の簡単な説明】
【００１０】
【図１】本考案のサンプリング器具の斜視図である。
【図２】本考案のサンプリング器具の、サンプル瓶とその保持部の断面図である。
【符号の説明】
【００１１】
１  サンプル瓶の胴部
２  サンプル瓶のキャップ部
３  ステンレス製金具
４  ステンレス製柄
【図１】
0003104831.tif 000003
【図２】
0003104831.tif 000004
(57)【要約】【課題】軽量で音色を変える可動栓をスムーズに動かすことができるたて笛を提供するものである。【解決手段】気道の長さを調整して音階を変えるたて笛において、気道管２に挿入する軸４の先端に、気道管内を可動する可動栓１を有することを特徴とするたて笛。【選択図面】図３【実用新案登録請求の範囲】
【請求項１】
気道の長さを調整して音階を変えるたて笛において、気道管に挿入する軸の先端に、気道管内を可動する可動栓を有することを特徴とするたて笛。
【請求項２】
気道管の末端部に軸を受ける軸受けを設けたことを特徴とする請求項１記載のたて笛。
【請求項３】
可動栓の先端にストッパーを設けたことを特徴とする請求項１または請求項２のたて笛。
【考案の詳細な説明】
【技術分野】
【０００１】
本考案は音階を連続して自在に変えることができるたて笛に関するものである。
【背景技術】
【０００２】
自在に音階を変化させるたて笛としては、リコーダーや尺八のように気道管に穴をあけ、この穴を開け閉めして気道の長さを変化させて音階をつくるものがあるが、この方法では音階が断続にしか変化できず、鳥の囀りのような連続的な音階の変化を出すことができない。たて笛の音階を連続して変える手段として、気道管に栓となる棒を挿入し、これを移動させて気道の長さを連続して変化させることにより自在な音階を出す方法が知られている（特許文献１参照）。
【特許文献１】特開２００１−１４２４６４号公報
【考案の開示】
【考案が解決しようとする課題】
【０００３】
従来の挿入栓は気道管の内径とほぼ等しくい外径を持つ丸棒で、重くかつ気道管内側との摩擦が大きくスムーズにスライドできなかった。
【０００４】
また、挿入栓を引き出す際のストッパー機構が無いため、栓が容易に気道管の末端から抜けて演奏が途切れたり、脱落や紛失しやすかった。
【０００５】
更に、挿入栓を押し込む際にもストッパー機構が無いため、栓が気道管の奥まで入り込み、発音部を塞いで演奏が途切れてしまった。
【０００６】
そこで、本考案は、軽量で音色を変える可動栓をスムーズに動かすことができるたて笛を提供するものである。
【課題を解決するための手段】
【０００７】
本考案は、
（１）気道の長さを調整して音階を変えるたて笛において、気道管に挿入する軸の先端に、気道管内を可動する可動栓を有することを特徴としたたて笛である。
（２）気道管の末端部に軸を受ける軸受けを設けたことを特徴とする請求項１記載のたて笛である。
（３）可動栓の先端にストッパーを設けたことを特徴とする、請求項１または請求項２のたて笛である。
【考案の効果】
【０００８】
本考案のたて笛は、可動栓がスムーズにスライドし、ストッパー機構により栓が抜けたり発音部を塞ぐことが無く、子供や初心者でも自在に音色を出すことができる。
【０００９】
また、軸受けにより可動栓が脱落したり、紛失することを防止する。
【考案を実施するための最良の形態】
【００１０】
丸棒を短くして形成した可動栓１にスライドのための軸４を付けることにより、軽量化するとともに気道管２との摩擦を小さくした。
【００１１】
また、気道管２の末端部に中心に穴をあけた軸受け５を付けることにより、上記の可動栓１が傾いて滑りにくくなることを防止するとともに、この軸受け５がストッパーの役目となり可動栓１の脱落を防止することができる。
【００１２】
更に、軸４を吹口栓３と発音部８の距離の寸法だけ可動栓１の中心部より貫通、突出させ可動栓１が発音部８を塞ぐことを防止するストッパー９機構をもうけた。
【００１３】
なお、６は吹口の保護カバーで、７は軸４の保護チューブである。
【産業上の利用可能性】
【００１４】
本考案のたて笛は、発音部や気道部の構造や寸法、材質等を変えることにより様々な音色を出すことができ、鳥をはじめとする様々な生き物の鳴き声および風や水の音などの擬音をだせるので、産業上の利用の可能性がある。
【図面の簡単な説明】
【００１５】
【図１】本考案のたて笛の側面図
【図２】本考案のたて笛の斜視図
【図３】本考案のたて笛の断面図
【符号の説明】
【００１６】
１  可動栓
２  気道管
３  吹口栓
４  軸
５  軸受け
６  保護カバー
７  保護チューブ
８  発音部
９  ストッパー
【図１】
0003104863.tif 000002
【図２】
0003104863.tif 000003
【図３】
0003104863.tif 000004
(57)【要約】      （修正有）【課題】洋式のトイレは、便座と便器の間に隙間があるため、場合によっては尿漏れすることがあったが、便器と便座の隙間を遮断するので、尿漏れを防ぐことを可能にする。【解決手段】半円型の取り付け板１の内側周辺にそって垂直方向に半円筒型の返し板２をつける。便座の前方下側に取り付けることにより、便器と便座との隙間を遮ることによって尿漏れを完全に防ぐことができる。取り付け板及び返し板は、１ｍｍ程度のプラスチック板を用いて各々の形状に加工する。【選択図】図１
0003104873.tif 000002
【実用新案登録請求の範囲】
【請求項１】
半円形の取り付け板（１）の内側周辺にそって垂直方向にして半円筒型の返し板（２）をとりつけた便器の尿漏れ防止具
【考案の詳細な説明】
【技術分野】
【０００１】  本考案は、便器の尿漏れ防止具に関するものである。
【背景技術】
【０００２】  従来は、便器の尿漏れ防止具としての物は無かった。
【考案の開示】
【考案が解決しようとする課題】
【０００３】  解決しようとする問題点は、便座に座って用足しする場合便器と便座との間に隙間がある為、場合によっては便器から尿が漏れることがあった。
【課題を解決しようとする手段】
【０００４】  半円型の取り付け板（１）の内側周辺にそって垂直方向に半円筒型の返し板（２）をつける。
【考案の効果】
【０００５】  本考案の尿漏れ防止具は、便座の前方下側に取り付けることにより、便器と便座との隙間を遮ることによって尿漏れを完全に防ぐことができる。
【考案を実施するための最良の形態】
【０００６】  取り付け板及び返し板は、１ｍｍ程度のプラスチック板を用いて各々の形状に加工する。
【産業上の利用可能性】
【０００７】  取り付け板を、便座の前方下側の便器との隙間の中にいれ、便座に取り付ける。
【図面の簡単な説明】
【０００８】
【図１】便器の尿漏れ防止具を示した斜視図ある。
【符号の説明】
【０００９】１  取り付け板
２  返し板
【図１】
0003104873.tif 000003
(57)【要約】【課題】  自動車運転時、サイドミラ−及び目視では死角となっていた斜め後方を、容易に確認出来る様にする。【解決手段】  車外側のサイドミラ−１に対して、ミラ−の取付基盤２を挟む形で曲面鏡３を車内側に取付ける。運転席から曲面鏡をのぞくと、斜め後方が、容易に確認出来る。【選択図】  図２
0003104880.tif 000002
【実用新案登録請求の範囲】
【請求項１】
車外側のサイドミラ−１に対して、ミラ−の取付基盤２を挟む形で曲面鏡３を車内側に取付ける。
【請求項２】
曲面鏡の視界角度は、６０度から９０度程度で、横方向に曲面させたミラ−を使用する。
【請求項３】
曲面鏡の大きさはサイドミラ−程度で、上下左右に方向調節が可能な、可動式のものを取付ける。
【考案の詳細な説明】
【考案の詳細な説明】
【考案が解決しようとする課題】
【０００１】  従来、自動車運転中の車線変更は、サイドミラ−及び目視で安全確認してから行っていたが、サイドミラ−からの視界は限られている。目視では、座席又は同乗者に隠れて、斜め後方は充分な確認が出来ない。よって、車線変更の際に非常に危険であった。
【課題を解決するための手段】
【０００２】  上記目的を達成するために、サイドミラ−程度の大きさの可動式曲面鏡を自動車内に取付ける。取付位置は、車外側のサイドミラ−に対して、ミラ−の取付基盤を挟む形で曲面鏡を車内側に取付ける。運転席側、助手席側それぞれに曲面鏡を取付ける。
【考案の効果】
【０００３】  このポイントに曲面鏡を取付ける事により、従来、死角となっていた斜め後方を、容易に確認する事が出来る。また、車線変更時の危険性が減り、交通事故の防止につながる。
【図面の簡単な説明】
【図１】  運転席から見た、自動車内の斜視図である。
【図２】  助手席側のサイドミラ−及び曲面鏡の正面図である。
【図３】  助手席側のサイドミラ−及び曲面鏡の断面図である。
【符号の説明】
１  車外助手席側のサイドミラ−
２  助手席側ミラ−の取付基盤
３  車内助手席側の曲面鏡
【図１】
0003104880.tif 000003
【図２】
0003104880.tif 000004
【図３】
0003104880.tif 000005
【手続補正書】
【提出日】平成15年11月26日(2003.11.26)
【手続補正１】
【補正対象書類名】実用新案登録請求の範囲
【補正対象項目名】全文
【補正方法】変更
【補正の内容】
【実用新案登録請求の範囲】
【請求項１】
自動車の斜め後方確認用の曲面鏡３は、自動車用サイドミラー構造で、ミラーの取付基盤２に取付けられる形状。
【手続補正書】
【提出日】平成16年2月20日(2004.2.20)
【手続補正１】
【補正対象書類名】実用新案登録請求の範囲
【補正対象項目名】全文
【補正方法】変更
【補正の内容】
【実用新案登録請求の範囲】
【請求項１】
自動車の斜め後方を確認する為の曲面鏡３は、自動車用サイドミラー構造。
【手続補正書】
【提出日】平成16年6月8日(2004.6.8)
【手続補正１】
【補正対象書類名】実用新案登録請求の範囲
【補正対象項目名】全文
【補正方法】変更
【補正の内容】
【実用新案登録請求の範囲】
【請求項１】
車外側のサイドミラ−１に対して、ミラ−の取付基盤２を挟む形で、自動車の斜め後方を確認する為の曲面鏡３を車内側に取り付けた自動車用サイドミラ−構造。
(57)【要約】【課題】  貸金庫への悪戯や盗難などの犯罪行為の抑止。【解決手段】  鍵穴に封印シールを貼る。これによって収納物を確認しなくても、悪戯や不正解錠の事実が一目でわかる。また、封印シールには無数の切込みを入れてあるためきれいに剥せず、一度はがしたら二度と元に戻せない。さらに使用者直筆のサインを入れることによってシールの複製を防ぐこともできる。【選択図】  図２
0003104878.tif 000002
【実用新案登録請求の範囲】
【請求項１】
貸金庫の鍵穴に貼り、悪戯や犯罪を抑止するための封印シール
【考案の詳細な説明】
【考案の詳細な説明】
【考案が解決しようとする課題】
【０００１】  従来、鍵穴をそのままにしておくと、合鍵や不正解錠などでこじ開けられてもその事実が収納物の紛失を確認するまでわからなかった。
【課題を解決するための手段】
【０００２】  上記課題を解決するために、鍵穴に封印シールを貼る。これによって収納物を確認しなくても、悪戯や不正解錠の事実が一目でわかる。また、封印シールには無数の切込みを入れてあるためきれいに剥せず、一度はがしたら二度と元に戻せない。さらに使用者直筆のサインを入れることによってシールの複製を防ぐこともできる。
【考案の効果】
【０００３】  悪戯や犯罪の抑止と使用者が安心感を得ることができる。
【図面の簡単な説明】
【図１】封印シールをはった貸金庫の斜視図である。
【図２】封印シールの斜視図である。
【図３】封印シールを実際に剥したさいの状況。
【符号の説明】
１  封印シール
２  貸金庫
３  切込み
４  直筆サイン
【図１】
0003104878.tif 000003
【図２】
0003104878.tif 000004
【図３】
0003104878.tif 000005
【手続補正書】
【提出日】平成15年10月17日(2003.10.17)
【手続補正１】
【補正対象書類名】実用新案登録請求の範囲
【補正対象項目名】全文
【補正方法】変更
【補正の内容】
【実用新案登録請求の範囲】
【請求項１】
・鍵穴にシールをはり、他者が盗む目的でこじ開けた場合その痕跡が残るようになっている。
・シールには小さな切りこみを入れ、きれいに剥せないようなっている。（貼りなおしの防止）
・シールは紙製なので直筆サインを入れられ、解錠後同様のシールをはって隠蔽しようとしてもできない。
【手続補正書】
【提出日】平成16年1月20日(2004.1.20)
【手続補正１】
【補正対象書類名】実用新案登録請求の範囲
【補正対象項目名】全文
【補正方法】変更
【補正の内容】
【実用新案登録請求の範囲】
【請求項１】
・鍵穴に貼る封印シールであって、剥がしたときにその痕跡が残るように、紙製で、かつ、小さな切り込みを入れた構成を有することを特徴とする封印シール。